【手続補正書】
【提出日】令和2年12月25日(2020.12.25)
【手続補正１】
【補正対象書類名】明細書
【補正対象項目名】００７４
【補正方法】変更
【補正の内容】
【００７４】
本明細書中に引用している刊行物の完全な開示は、それぞれが個々に組み込まれたかのように、その全体が参照により組み込まれる。本発明に対する様々な改変及び変更が、本発明の範囲及び趣旨から逸脱することなく、当業者には明らかとなるであろう。本発明は、本明細書に記載の例示的な実施形態及び実施例によって不当に限定されることを意図するものではなく、このような実施例及び実施形態は例としてのみ提示されており、本発明の範囲は、本明細書で以下の通り記載の特許請求の範囲によってのみ限定されることを意図しているものと理解されたい。以下、例示的実施形態について述べる。
［１］
実質的にコリメートされた光を出力するバックライトガイドと、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを含み、前記バックライトガイドに隣接しており、第１の平面方向に実質的にコリメートされた光を出力する転向フィルムと、
レンズ状ディフューザであって、
前記ディスプレイ軸に対して実質的に垂直な第２の実質的に滑らかな表面と、
前記ディスプレイ軸に対して実質的に垂直な平面に沿って延びる第２の複数の実質的に平行な溝を画定する複数の第２の微細構造を含む第２の構造化表面とを備えるレンズ状ディフューザと、を含み、
前記レンズ状ディフューザは、前記転向フィルムに光学的に結合されており、前記レンズ状ディフューザは、前記第１の平面方向に実質的にコリメートされた光を、前記第１の平面に対して実質的に垂直な第２の平面に向かって反射又は屈折させ、
前記第１の複数の実質的に平行な溝は、前記第２の複数の実質的に平行な溝に対して実質的に垂直である、光学システム。
［２］
前記レンズ状ディフューザは、第１の屈折率を有する第１の材料を更に含み、前記第１の材料は、前記複数の第２の微細構造を形成する、［１］に記載の光学システム。
［３］
前記複数の第２の微細構造は、各々が、ハイブリッドレンズ状プリズムを含み、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記第２の複数の実質的に平行な溝を画定する、［２］に記載の光学システム。
［４］
前記レンズ状ディフューザは、第２の屈折率を有する第２の材料を更に含み、前記第２の材料は、前記第１の材料に隣接しており、前記第１の屈折率は、前記第２の屈折率よりも大きい、［３］に記載の光学システム。
［５］
前記第１の屈折率と前記第２の屈折率との間の差は、約０．０５〜約０．６である、［４］に記載の光学システム。
［６］
前記第１の屈折率と前記第２の屈折率との間の差は、約０．１〜約０．３である、［４］に記載の光学システム。
［７］
前記第１の屈折率と前記第２の屈折率との間の差は、約０．１５〜約０．２５である、［４］に記載の光学システム。
［８］
前記ハイブリッドレンズ状プリズムは、連続的なカーブ面プリズムを含む、［３］に記載の光学システム。
［９］
前記ハイブリッドレンズ状プリズムは、アーチ状プリズムを含む、［３］に記載の光学システム。
［１０］
前記複数の第１の微細構造は、複数の両側がストレートファセットのプリズムを含む、［３］に記載の光学システム。
［１１］
前記複数の第１の微細構造は、複数ファセットのプリズムを含む、［３］に記載の光学システム。
［１２］
前記第１の実質的に滑らかな表面は、前記第２の実質的に滑らかな表面に隣接している、［１］〜［１１］のいずれか一項に記載の光学システム。
［１３］
前記第１の実質的に滑らかな表面は、前記第２の構造化表面に隣接している、［１］〜［１１］のいずれか一項に記載の光学システム。
［１４］
前記複数の第２の微細構造の少なくとも一部分は、前記第１の実質的に滑らかな表面に少なくとも部分的に埋め込まれている、［１３］に記載の光学システム。
［１５］
前記レンズ状ディフューザは、半値半幅（ＨＷＨＭ）が約±３０度未満の入力光ビームから半値半幅（ＨＷＨＭ）が約±４０度よりも大きい輝度を提供するように構成されている、［１］〜［１４］のいずれか一項に記載の光学システム。
［１６］
前記レンズ状ディフューザは、半値半幅（ＨＷＨＭ）が約±２０度未満の入力光ビームから半値半幅（ＨＷＨＭ）が約±５０度よりも大きい輝度を提供するように構成されている、［１］〜［１５］のいずれか一項に記載の光学システム。
［１７］
転向フィルムとレンズ状ディフューザとを含む光学システムであって、
前記転向フィルムは、
第１の実質的に滑らかな表面に対して垂直に延びるディスプレイ軸を画定する第１の実質的に滑らかな表面と、
第１の屈折率を有する第１の材料を含む複数の両側がストレートファセットのプリズム又は複数ファセットのプリズムを備える第１の構造化表面であって、前記複数の両側がストレートファセットのプリズム又は前記複数ファセットのプリズムは、前記ディスプレイ軸に対して実質的に垂直に延びる前記第１の構造化表面上に、第１の複数の実質的に平行な溝を画定する、第１の構造化表面と、
第２の屈折率を有する第２の材料であって、前記複数の両側がストレートファセットのプリズム又は前記複数ファセットのプリズムに隣接しており、前記第１の屈折率が前記第２の屈折率よりも大きい第２の材料と、を含み、
前記レンズ状ディフューザは、
前記ディスプレイ軸に対して実質的に垂直な第２の実質的に滑らかな表面と、
第２の構造化表面であって、各々が第３の屈折率を有する第３の材料を含む弓状プリズムを備える複数の第２の微細構造を含み、各弓状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第４の屈折率を有する第４の材料であって、前記複数の第２の微細構造に隣接しており、前記第３の屈折率と前記第４の屈折率との間の差が約０．１〜約０．３である第４の材料と、を含み、
前記レンズ状ディフューザは、前記転向フィルムに光学的に結合されており、
前記第１の複数の溝は、前記第２の複数の溝に対して実質的に直交し、前記レンズ状ディフューザは、半値半幅（ＨＷＨＭ）が約±２０度未満の入力ビームから半値半幅（ＨＷＨＭ）が約±４０度よりも大きい輝度を提供するように構成されている、光学システム。
［１８］
前記複数の第２の微細構造の少なくとも一部分は、前記第１の実質的に滑らかな表面に少なくとも部分的に埋め込まれており、前記レンズ状ディフューザは、半値半幅（ＨＷＨＭ）が約±２０度未満の入力ビームから半値半幅（ＨＷＨＭ）が約±５０度よりも大きい輝度を提供するように構成されている、［１７］に記載の光学システム。
［１９］
転向フィルムとレンズ状ディフューザとを含む光学システムであって、
前記転向フィルムは、
第１の実質的に滑らかな表面に対して垂直に延びるディスプレイ軸を画定する第１の実質的に滑らかな表面と、
第１の屈折率を有する第１の材料を含む複数の両側がストレートファセットのプリズム又は複数ファセットのプリズムを備える第１の構造化表面であって、前記複数の両側がストレートファセットのプリズム又は前記複数ファセットのプリズムは、前記ディスプレイ軸に対して実質的に垂直に延びる前記第１の構造化表面上に、第１の複数の実質的に平行な溝を画定する、第１の構造化表面と、
第２の屈折率を有する第２の材料であって、空気であり、前記複数の両側がストレートファセットのプリズム又は前記複数ファセットのプリズムに隣接しており、前記第１の屈折率が前記第２の屈折率よりも大きい第２の材料と、を含み、
前記レンズ状ディフューザは、
前記ディスプレイ軸に対して実質的に垂直な第２の実質的に滑らかな表面と、
第２の構造化表面であって、各々が第３の屈折率を有する第３の材料を含む弓状プリズムを備える複数の第２の微細構造を含み、各弓状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第４の屈折率を有する第４の材料であって、前記複数の第２の微細構造に隣接しており、前記第３の屈折率と前記第４の屈折率との間の差が約０．１〜約０．３である第４の材料と、を含み、
前記レンズ状ディフューザは、前記転向フィルムに光学的に結合されており、
前記第１の複数の溝は、前記第２の複数の溝に対して実質的に直交し、
前記第１の実質的に滑らかな表面は、前記第２の実質的に滑らかな表面に隣接しており、
前記レンズ状ディフューザは、半値半幅（ＨＷＨＭ）が約±２０度未満の入力ビームから半値半幅（ＨＷＨＭ）が約±５０度よりも大きい輝度を提供するように構成されている、光学システム。
［２０］
前記複数の第２の微細構造の少なくとも一部分は、前記第１の実質的に滑らかな表面に少なくとも部分的に埋め込まれている、［１９］に記載の光学システム。
［２１］
前記光学システムは、液晶ディスプレイを更に備え、前記レンズ状ディフューザは、前記液晶ディスプレイに光学的に結合されている、［１］〜［２０］のいずれか一項に記載の光学システム。
［２２］
液晶ディスプレイと、
バックライトガイドと、
前記バックライトガイドと前記液晶ディスプレイとの間に配設された光制御フィルムと、
レンズ状ディフューザと、を備える光学システムであって、
前記光制御フィルムは、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを備え、第１の平面方向に実質的にコリメートされた光を出力する転向フィルムを含み、
前記レンズ状ディフューザは、
前記ディスプレイ軸に対して実質的に垂直な第２の実質的に滑らかな表面と、
各々がハイブリッドレンズ状プリズムを備える複数の第２の微細構造を含む第２の構造化表面であって、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第１の屈折率を有する第１の材料であって、前記複数の第２の微細構造を形成する第１の材料と、を含み、
前記レンズ状ディフューザは、前記転向フィルム及び前記液晶ディスプレイに光学的に結合されており、
前記第１の複数の実質的に平行な溝は、前記第２の複数の実質的に平行な溝に対して実質的に垂直である、光学システム。
［２３］
車両と、
前記車両に搭載されたディスプレイシステムと、
レンズ状ディフューザと、備える、車両に搭載された光学システムであって、
前記ディスプレイシステムは、
液晶ディスプレイと、
バックライトガイドと、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを備え、前記バックライトガイドに隣接しており、第１の平面方向に実質的にコリメートされた光を出力する転向フィルムと、を含み、
前記レンズ状ディフューザは、
前記ディスプレイ軸に対して実質的に垂直な第２の実質的に滑らかな表面と、
各々がハイブリッドレンズ状プリズムを含む複数の第２の微細構造を含む第２の構造化表面であって、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第１の屈折率を有する第１の材料であって、前記複数の第２の微細構造を形成する第１の材料と、を含み、
前記レンズ状ディフューザは、前記転向フィルム及び前記液晶ディスプレイに光学的に結合されており、
前記第１の複数の実質的に平行な溝は、前記第２の複数の実質的に平行な溝に対して実質的に垂直である、光学システム。
［２４］
（ａ）転向フィルムであって、
ディスプレイ軸に対して実質的に垂直な第１の実質的に滑らかな表面と、
第１の複数の実質的に平行な溝を画定する複数の第１の微細構造を含む第１の構造化表面と、を含み、
第１の平面方向に実質的にコリメートされた光を出力する転向フィルムと、
（ｂ）レンズ状ディフューザであって、
前記ディスプレイ軸に対して実質的に垂直な第２の実質的に滑らかな表面と、
前記ディスプレイ軸に対して実質的に垂直な平面に沿って延びる第２の複数の実質的に平行な溝を画定する複数のレンズ状プリズムを含む第２の構造化表面と、を含み、複数のレンズ状プリズムを含む前記第２の構造化表面は、実質的に平坦なランド領域によって分離された丸みを帯びた先端部を有する、複数の両側が実質的にストレートファセットのプリズムを含み、
各レンズ状プリズムの断面は、前記第２の実質的に滑らかな表面から頂点の方向に、前記ディスプレイ軸に対して実質的に平行な平面に沿って延びる、レンズ状ディフューザと、を備え、
前記レンズ状ディフューザは、前記転向フィルムに光学的に結合されており、前記レンズ状ディフューザは、前記第１の平面方向に実質的にコリメートされた光を、前記第１の平面に対して実質的に垂直な第２の平面に向かって反射又は屈折させ、
前記第１の複数の実質的に平行な溝は、前記第２の複数の実質的に平行な溝に対して実質的に垂直である、光学システム。
［２５］
前記レンズ状ディフューザは、第１の屈折率を有する第１の材料と、第２の屈折率を有する第２の材料とを更に含み、前記第１の材料は、複数のレンズ状プリズムを形成し、前記第２の材料は、前記第１の材料に隣接し、前記第１の屈折率は、前記第２の屈折率よりも大きい、［２４］に記載の光学システム。
［２６］
前記第１の屈折率と前記第２の屈折率との間の差は、約０．０５〜約０．６である、［２５］に記載の光学システム。
［２７］
前記第１の屈折率と前記第２の屈折率との間の差は、約０．１〜約０．３である、［２６］に記載の光学システム。
［２８］
前記第１の屈折率と前記第２の屈折率との間の差は、約０．１５〜約０．２５である、［２７］に記載の光学システム。
［２９］
前記レンズ状プリズムは、ピッチ（ｐ）及びランド幅（ｗ）を有し、前記第２の構造化表面は、約０．６〜約０．９５のフィルフラクションを有し、前記フィルフラクションは、（ｐ−ｗ）／ｐに等しい、［２４］〜［２８］のいずれか一項に記載の光学システム。
［３０］
前記第２の構造表面は、約０．８〜約０．９のフィルフラクションを有する、［２９］に記載の光学システム。
［３１］
前記レンズ状プリズムは、約７５度〜約８０度の側壁底角（α１及びα２）を有する、［２４］〜［３０］のいずれか一項に記載の光学システム。
［３２］
前記レンズ状プリズムは、約７７度〜約７９度の側壁底角を有する、［３１］に記載の光学システム。
［３３］
前記レンズ状プリズムは、約２μｍ以下の先端半径（Ｒｔｉｐ）を有する、［２４］〜［３２］のいずれか一項に記載の光学システム。
［３４］
前記レンズ状プリズムは、約１μｍ以下の先端半径を有する、［３３］に記載の光学システム。
［３５］
前記レンズ状プリズムは、約０．１未満の先端フラクションを有し、前記先端フラクションは、Ｒｔｉｐ／ｐに等しい、［２４］〜［３４］のいずれか一項に記載の光学システム。
［３６］
前記レンズ状プリズムは、約０．０３５未満の先端フラクションを有する、［３５］に記載の光学システム。
［３７］
前記アスペクト比は、約１．８〜約２．５である、［２４］〜［３６］のいずれか一項に記載の光学システム。
［３８］
前記第１の実質的に滑らかな表面は、前記第２の実質的に滑らかな表面に隣接している、［２４］〜［３７］のいずれか一項に記載の光学システム。
［３９］
前記第１の実質的に滑らかな表面は、前記第２の構造化表面に隣接している、［２４］〜［３７］のいずれか一項に記載の光学システム。
［４０］
前記レンズ状ディフューザは、半値半幅（ＨＷＨＭ）が約±３０度未満の入力光ビームから半値半幅（ＨＷＨＭ）が約±４０度よりも大きい輝度を提供するように構成されている、［２４］〜［３９］のいずれか一項に記載の光学システム。
［４１］
前記レンズ状ディフューザは、半値半幅（ＨＷＨＭ）が約±２０度未満の入力光ビームから半値半幅（ＨＷＨＭ）が約±５０度よりも大きい輝度を提供するように構成されている、［２４］〜［３９］のいずれか一項に記載の光学システム。
［４２］
前記転向フィルムに隣接するバックライトガイドを更に備え、前記バックライトガイドは、実質的にコリメートされた光を出力する、［２４］〜［４１］のいずれか一項に記載の光学システム。
［４３］
（ａ）液晶ディスプレイと、
（ｂ）バックライトガイドと、
（ｃ）前記バックライトガイドと前記液晶ディスプレイとの間に配設された光制御フィルムであって、［２４］〜［４１］のいずれか一項に記載の光学システムを含む光制御フィルムと、を備える液晶ディスプレイシステム。
［４４］
車両に搭載された光学システムであって、
（ａ）車両と、
（ｂ）前記車両に搭載された［４３］に記載の液晶ディスプレイシステムと、を備える光学システム。
【手続補正２】
【補正対象書類名】特許請求の範囲
【補正対象項目名】全文
【補正方法】変更
【補正の内容】
【特許請求の範囲】
【請求項１】
実質的にコリメートされた光を出力するバックライトガイドと、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを含み、前記バックライトガイドに隣接しており、第１の平面方向に実質的にコリメートされた光を出力する転向フィルムと、
レンズ状ディフューザであって、
前記ディスプレイ軸に対して実質的に垂直な第２の実質的に滑らかな表面と、
前記ディスプレイ軸に対して実質的に垂直な平面に沿って延びる第２の複数の実質的に平行な溝を画定する複数の第２の微細構造を含む第２の構造化表面とを備えるレンズ状ディフューザと、を含み、
前記レンズ状ディフューザは、前記転向フィルムに光学的に結合されており、前記レンズ状ディフューザは、前記第１の平面方向に実質的にコリメートされた光を、前記第１の平面に対して実質的に垂直な第２の平面に向かって反射又は屈折させ、
前記第１の複数の実質的に平行な溝は、前記第２の複数の実質的に平行な溝に対して実質的に垂直である、光学システム。
【請求項２】
前記レンズ状ディフューザは、第１の屈折率を有する第１の材料を更に含み、前記第１の材料は、前記複数の第２の微細構造を形成する、請求項１に記載の光学システム。
【請求項３】
前記複数の第２の微細構造は、各々が、ハイブリッドレンズ状プリズムを含み、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記第２の複数の実質的に平行な溝を画定する、請求項２に記載の光学システム。
【請求項４】
前記レンズ状ディフューザは、第２の屈折率を有する第２の材料を更に含み、前記第２の材料は、前記第１の材料に隣接しており、前記第１の屈折率は、前記第２の屈折率よりも大きい、請求項３に記載の光学システム。
【請求項５】
前記ハイブリッドレンズ状プリズムは、連続的なカーブ面プリズムを含む、請求項３に記載の光学システム。
【請求項６】
前記ハイブリッドレンズ状プリズムは、アーチ状プリズムを含む、請求項３に記載の光学システム。
【請求項７】
前記複数の第１の微細構造は、複数の両側がストレートファセットのプリズムを含む、請求項３に記載の光学システム。
【請求項８】
前記複数の第１の微細構造は、複数ファセットのプリズムを含む、請求項３に記載の光学システム。
【請求項９】
前記レンズ状ディフューザは、半値半幅（ＨＷＨＭ）が約±３０度未満の入力光ビームから半値半幅（ＨＷＨＭ）が約±４０度よりも大きい輝度を提供するように構成されている、請求項１〜８のいずれか一項に記載の光学システム。
【請求項１０】
転向フィルムとレンズ状ディフューザとを含む光学システムであって、
前記転向フィルムは、
第１の実質的に滑らかな表面に対して垂直に延びるディスプレイ軸を画定する第１の実質的に滑らかな表面と、
第１の屈折率を有する第１の材料を含む複数の両側がストレートファセットのプリズム又は複数ファセットのプリズムを備える第１の構造化表面であって、前記複数の両側がストレートファセットのプリズム又は前記複数ファセットのプリズムは、前記ディスプレイ軸に対して実質的に垂直に延びる前記第１の構造化表面上に、第１の複数の実質的に平行な溝を画定する、第１の構造化表面と、
第２の屈折率を有する第２の材料であって、前記複数の両側がストレートファセットのプリズム又は前記複数ファセットのプリズムに隣接しており、前記第１の屈折率が前記第２の屈折率よりも大きい第２の材料と、を含み、
前記レンズ状ディフューザは、
前記ディスプレイ軸に対して実質的に垂直な第２の実質的に滑らかな表面と、
第２の構造化表面であって、各々が第３の屈折率を有する第３の材料を含む弓状プリズムを備える複数の第２の微細構造を含み、各弓状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第４の屈折率を有する第４の材料であって、前記複数の第２の微細構造に隣接しており、前記第３の屈折率と前記第４の屈折率との間の差が約０．１〜約０．３である第４の材料と、を含み、
前記レンズ状ディフューザは、前記転向フィルムに光学的に結合されており、
前記第１の複数の溝は、前記第２の複数の溝に対して実質的に直交し、前記レンズ状ディフューザは、半値半幅（ＨＷＨＭ）が約±２０度未満の入力ビームから半値半幅（ＨＷＨＭ）が約±４０度よりも大きい輝度を提供するように構成されている、光学システム。
【請求項１１】
転向フィルムとレンズ状ディフューザとを含む光学システムであって、
前記転向フィルムは、
第１の実質的に滑らかな表面に対して垂直に延びるディスプレイ軸を画定する第１の実質的に滑らかな表面と、
第１の屈折率を有する第１の材料を含む複数の両側がストレートファセットのプリズム又は複数ファセットのプリズムを備える第１の構造化表面であって、前記複数の両側がストレートファセットのプリズム又は前記複数ファセットのプリズムは、前記ディスプレイ軸に対して実質的に垂直に延びる前記第１の構造化表面上に、第１の複数の実質的に平行な溝を画定する、第１の構造化表面と、
第２の屈折率を有する第２の材料であって、空気であり、前記複数の両側がストレートファセットのプリズム又は前記複数ファセットのプリズムに隣接しており、前記第１の屈折率が前記第２の屈折率よりも大きい第２の材料と、を含み、
前記レンズ状ディフューザは、
前記ディスプレイ軸に対して実質的に垂直な第２の実質的に滑らかな表面と、
第２の構造化表面であって、各々が第３の屈折率を有する第３の材料を含む弓状プリズムを備える複数の第２の微細構造を含み、各弓状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第４の屈折率を有する第４の材料であって、前記複数の第２の微細構造に隣接しており、前記第３の屈折率と前記第４の屈折率との間の差が約０．１〜約０．３である第４の材料と、を含み、
前記レンズ状ディフューザは、前記転向フィルムに光学的に結合されており、
前記第１の複数の溝は、前記第２の複数の溝に対して実質的に直交し、
前記第１の実質的に滑らかな表面は、前記第２の実質的に滑らかな表面に隣接しており、
前記レンズ状ディフューザは、半値半幅（ＨＷＨＭ）が約±２０度未満の入力ビームから半値半幅（ＨＷＨＭ）が約±５０度よりも大きい輝度を提供するように構成されている、光学システム。
【請求項１２】
液晶ディスプレイと、
バックライトガイドと、
前記バックライトガイドと前記液晶ディスプレイとの間に配設された光制御フィルムと、
レンズ状ディフューザと、を備える光学システムであって、
前記光制御フィルムは、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを備え、第１の平面方向に実質的にコリメートされた光を出力する転向フィルムを含み、
前記レンズ状ディフューザは、
前記ディスプレイ軸に対して実質的に垂直な第２の実質的に滑らかな表面と、
各々がハイブリッドレンズ状プリズムを備える複数の第２の微細構造を含む第２の構造化表面であって、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第１の屈折率を有する第１の材料であって、前記複数の第２の微細構造を形成する第１の材料と、を含み、
前記レンズ状ディフューザは、前記転向フィルム及び前記液晶ディスプレイに光学的に結合されており、
前記第１の複数の実質的に平行な溝は、前記第２の複数の実質的に平行な溝に対して実質的に垂直である、光学システム。
【請求項１３】
車両と、
前記車両に搭載されたディスプレイシステムと、
レンズ状ディフューザと、備える、車両に搭載された光学システムであって、
前記ディスプレイシステムは、
液晶ディスプレイと、
バックライトガイドと、
転向フィルムであって、
ディスプレイ軸に対して実質的に垂直な第１の実質的に滑らかな表面と、
第１の複数の実質的に平行な溝を画定する複数の第１の微細構造を含む第１の構造化表面とを備え、前記バックライトガイドに隣接しており、第１の平面方向に実質的にコリメートされた光を出力する転向フィルムと、を含み、
前記レンズ状ディフューザは、
前記ディスプレイ軸に対して実質的に垂直な第２の実質的に滑らかな表面と、
各々がハイブリッドレンズ状プリズムを含む複数の第２の微細構造を含む第２の構造化表面であって、各ハイブリッドレンズ状プリズムの断面は、前記第２の実質的に滑らかな表面から頂点の方向に、前記ディスプレイ軸に対して実質的に平行な平面に沿って延び、前記複数の第２の微細構造は、前記ディスプレイ軸に対して実質的に垂直な平面に沿って延びる前記第２の構造化表面上に、第２の複数の実質的に平行な溝を画定する、第２の構造化表面と、
第１の屈折率を有する第１の材料であって、前記複数の第２の微細構造を形成する第１の材料と、を含み、
前記レンズ状ディフューザは、前記転向フィルム及び前記液晶ディスプレイに光学的に結合されており、
前記第１の複数の実質的に平行な溝は、前記第２の複数の実質的に平行な溝に対して実質的に垂直である、光学システム。
【請求項１４】
（ａ）転向フィルムであって、
ディスプレイ軸に対して実質的に垂直な第１の実質的に滑らかな表面と、
第１の複数の実質的に平行な溝を画定する複数の第１の微細構造を含む第１の構造化表面と、を含み、
第１の平面方向に実質的にコリメートされた光を出力する転向フィルムと、
（ｂ）レンズ状ディフューザであって、
前記ディスプレイ軸に対して実質的に垂直な第２の実質的に滑らかな表面と、
前記ディスプレイ軸に対して実質的に垂直な平面に沿って延びる第２の複数の実質的に平行な溝を画定する複数のレンズ状プリズムを含む第２の構造化表面と、を含み、複数のレンズ状プリズムを含む前記第２の構造化表面は、実質的に平坦なランド領域によって分離された丸みを帯びた先端部を有する、複数の両側が実質的にストレートファセットのプリズムを含み、
各レンズ状プリズムの断面は、前記第２の実質的に滑らかな表面から頂点の方向に、前記ディスプレイ軸に対して実質的に平行な平面に沿って延びる、レンズ状ディフューザと、を備え、
前記レンズ状ディフューザは、前記転向フィルムに光学的に結合されており、前記レンズ状ディフューザは、前記第１の平面方向に実質的にコリメートされた光を、前記第１の平面に対して実質的に垂直な第２の平面に向かって反射又は屈折させ、
前記第１の複数の実質的に平行な溝は、前記第２の複数の実質的に平行な溝に対して実質的に垂直である、光学システム。